(57)【要約】      （修正有）【課題】洗濯や収納が容易であり、こたつ布団のカバーやソファーのカバーとして使用できるカバーおよびこのカバーを使用したこたつ布団を提供する。【解決手段】カバー１０は、ベースシート１１と、このベースシート１１の裏面に取り付けられた複数枚の裏地シート１６から構成され、こたつ布団１は、カバー１０と、複数の中材２０とによって形成される。こたつ布団１は、シート状の中材２０を有しない本体部１２と、本体部１２の周囲に設けられた周辺部１５と、を備え、周辺部１５が、本体部１２の周縁と連結された中材２０を有しない表面シートと、表面シートの裏面との間に空間１５ｈが形成されるように表面シートの裏面に取り付けられた中材２０を有しない複数枚の裏地シート１６と、を有しており、各裏地シート１６および／または各裏地シート１６の端縁と表面シートの裏面との間に、空間１５ｈと連通する開口１５ｓがそれぞれ形成されている。【選択図】図３
0003228017.tif 000002
【実用新案登録請求の範囲】
【請求項１】
シート状であって中材を有しない本体部と、
該本体部の周囲に設けられた周辺部と、を備え、
該周辺部が、
前記本体部の周縁と連結された、中材を有しない表面シートと、
該表面シートの裏面との間に空間が形成されるように該表面シートの裏面に取り付けられた、中材を有しない複数枚の裏地シートと、を有しており、
各裏地シートおよび／または各裏地シート端縁と前記表面シートの裏面との間に、前記空間と連通する開口がそれぞれ形成されている
ことを特徴とするカバー。
【請求項２】
シート状であって中材を有しない本体部と、
該本体部の周囲に設けられた周辺部と、を備え、
該周辺部が、
前記本体部の周縁と連結された、中材を有しない表面シートと、
該表面シートの裏面との間に空間が形成されるように該表面シートの裏面に取り付けられた、中材を有しない裏地シートと、を有しており、
該裏地シートは、
前記本体部と対応する位置に孔が形成された一枚のシートで形成されており、
該裏地シートおよび／または該裏地シート端縁と前記表面シートの裏面との間に、前記空間と連通する開口がそれぞれ形成されている
ことを特徴とするカバー。
【請求項３】
前記開口が前記本体部側に設けられている
ことを特徴とする請求項１または２記載のカバー。
【請求項４】
前記本体部と前記周辺部の表面シートとが一枚のベースシートで形成されている
ことを特徴とする請求項１、２または３記載のカバー。
【請求項５】
天板とこたつ本体部とが連結部材によって連結可能なこたつ台のこたつ本体部にかけて使用されるものであり、
前記本体部には、
天板とこたつ本体部とを連結する際に連結部材が配置される位置にスリットが設けられている
ことを特徴とする請求項１、２、３または４記載のカバー。
【請求項６】
請求項１、２、３、４または５のいずれかに記載のカバーと、
該カバーの周辺部の空間に挿入される中材と、を備えている
ことを特徴とするこたつ布団。
【考案の詳細な説明】
【技術分野】
【０００１】
本考案は、カバーおよびこたつ布団に関する。さらに詳しくは、こたつ布団のカバーやソファーなどのカバーとして使用できるカバーおよびこのカバーを使用したこたつ布団に関する。
【背景技術】
【０００２】
こたつは、こたつ本体と天板とから構成されており、暖房器具として使用する際には、こたつ本体の上にこたつ布団を掛けて、その上に天板を載せて使用される。近年では、こたつを暖房器具としてだけでなく、テーブルとしても使用するようになっており、テーブルとして使用する際に、こたつ本体と天板とをボルトねじなどで固定できるものも開発されている。
【０００３】
こたつ本体と天板とを固定できるこたつでも、暖房器具として使用する際には、天板をこたつ布団の上に載せて使用するので、こたつ本体と天板とが固定できず、天板が不安定な状態になるという問題があった。
【０００４】
この問題を解決する技術として、天面布団部に切り欠きや孔を設けて、この切欠きや孔にボルトねじを通すことができるようにしたこたつ布団が開発されている（特許文献１、８参照）。このこたつ布団であれば、こたつ本体にこたつ布団を掛けた状態でも、こたつ本体と天板とが固定できるので、天板の移動を防止できる。
【０００５】
特許文献１のこたつ布団では、こたつ布団を掛けた状態でもこたつ本体と天板とが固定できるものの、こたつ布団の天面布団部には他の部分と同等の綿などが収容されている。このため、天板に荷重を掛けたりすれば、天面布団部が凹んで傾くなどの問題が生じる。そこで、天面布団部に入れる綿などを他の部分よりも少なくしたこたつ布団も開発されている（特許文献２、３参照）。特許文献２、３のこたつ布団であれば、天板に荷重を掛けた場合でも天面布団部の凹み等を抑制できるので、天板をある程度安定した状態に維持できる。
【０００６】
ところで、特許文献１〜３のこたつ布団は、いずれもこたつ布団が一体物となっているので、こたつ布団の洗濯を家庭用の洗濯機で洗濯することは難しく、また、こたつ布団を収容する際には非常に嵩張るという問題がある。
【０００７】
そこで、特許文献１〜３のこたつ布団の上記問題を解決できる技術として、収納性を高めて洗濯などが行い易いこたつ布団が開発されている（例えば特許文献４、５参照）。特許文献４、５のこたつ布団は、こたつ布団を複数の部材に分離できるようになっているので、複数の部材に分離して個別に洗濯や収納ができる。
【先行技術文献】
【特許文献】
【０００８】
【特許文献１】特開２００２−３４７５４号公報
【特許文献２】特開２０１７−４６９９０号公報
【特許文献３】実開昭６３−２６００９号公報
【特許文献４】実開昭５６−４８８７１号公報
【特許文献５】実開平４−１２５１０７号公報
【特許文献６】特開２０１８−１４３７００号公報
【特許文献７】特開２００２−４２４
【特許文献８】特開平０２−１３４１０６号公報
【考案の概要】
【考案が解決しようとする課題】
【０００９】
しかし、特許文献４、５のこたつ布団は、こたつ布団として使用する際には複数の部材を連結しなければならないので、使用する際に非常に手間がかかる。しかも、こたつ布団として使用している際に部材間の連結が外れる可能性がある。
【００１０】
また、こたつ布団を複数の部材に分離しても、各部材には綿などが収容されているので、各部材を個別に洗濯する場合でも洗濯は行いにくい。分離した各部材について、特許文献６の長座布団のように内部だけを取り出せるようにすれば、各部材の表面の部材の洗濯は行い易くなる。しかし、現状では、分離できない状態のこたつ布団で内部だけを取り出せるようにした例はない。なお、特許文献７には、布体の裏面に袋体を設けて袋体の内部に着脱可能に収容されるクッション体を備えた多目的カバーが開示されているが、この多目的カバーでも、中材は布体内に封入されており、布体から中材を取り出し可能に設ける構成は記載されていない。
【００１１】
本考案は上記事情に鑑み、洗濯や収納が容易であり、こたつ布団のカバーやソファーのカバーとして使用できるカバーおよびこのカバーを使用したこたつ布団を提供することを目的とする。
【課題を解決するための手段】
【００１２】
本考案のカバーは、シート状であって中材を有しない本体部と、該本体部の周囲に設けられた周辺部と、を備え、該周辺部が、前記本体部の周縁と連結された、中材を有しない表面シートと、該表面シートの裏面との間に空間が形成されるように該表面シートの裏面に取り付けられた、中材を有しない複数枚の裏地シートと、を有しており、各裏地シートおよび／または各裏地シート端縁と前記表面シートの裏面との間に、前記空間と連通する開口がそれぞれ形成されていることを特徴とする。
また、本考案のカバーは、シート状であって中材を有しない本体部と、該本体部の周囲に設けられた周辺部と、を備え、該周辺部が、前記本体部の周縁と連結された、中材を有しない表面シートと、該表面シートの裏面との間に空間が形成されるように該表面シートの裏面に取り付けられた、中材を有しない裏地シートと、を有しており、該裏地シートは、前記本体部と対応する位置に孔が形成された一枚のシートで形成されており、該裏地シートおよび／または該裏地シート端縁と前記表面シートの裏面との間に、前記空間と連通する開口がそれぞれ形成されている前記周辺部の複数枚の裏地シートが一枚のシートで形成されていることを特徴とする。
本考案のこたつ布団は、本考案のカバーと、該カバーの周辺部の空間に挿入される中材と、を備えていることを特徴とする。
【考案の効果】
【００１３】
本考案のカバーを使用すれば、周辺部の空間にクッションなどを入れれば、周辺部の保温性などを高めることができる。また、周辺部の空間にクッションなどを入れなければ、薄いシート状になっているので、ソファー等のカバーとして使用することができる。
本考案のこたつ布団は、カバーの周辺部の空間から中材を取り外せばシート状のカバーとなるので、洗濯が容易であるし、ソファー等のカバーとして使用することができる。
【図面の簡単な説明】
【００１４】
【図１】本実施形態のカバー１０の概略説明図であって、（Ａ）は平面図であり、（Ｂ）は裏面図である。
【図２】（Ａ）はこたつ布団１に使用する中材２０の概略説明図であり、（Ｂ）は本実施形態のカバー１０に中材２０を入れたこたつ布団１の裏面図である。
【図３】（Ａ）は本実施形態のカバー１０に中材２０を入れたこたつ布団１の裏面の概略斜視図であり、（Ｂ）は中材２０ａを取り出している状態の概略説明図である。
【図４】本実施形態のカバー１０に中材２０を入れたこたつ布団１をこたつ本体Ｈに掛ける状態の概略断面図である。
【図５】本実施形態のカバー１０に中材２０を入れたこたつ布団１をこたつ本体Ｈに掛ける状態の概略斜視図である。
【図６】本実施形態のカバー１０の使用状態の例示である。
【考案を実施するための形態】
【００１５】
本実施形態のカバーは、こたつやソファーに掛けるカバーとして使用できるカバーであり、中材を着脱することによってこたつ布団等として使用できるようになっていることに特徴を有している。
以下では、本実施形態のカバーを使用してこたつ布団を形成した場合を説明する。
【００１６】
＜こたつＫ＞
まず、本実施形態のカバー１０を使用して形成されたこたつ布団１を説明する前に、こたつ布団１が使用されるこたつＫについて説明する。
【００１７】
図４に示すように、こたつＫは、こたつ本体Ｈと、天板Ｔと、連結部材Ｂと、を備えている。
【００１８】
こたつ本体Ｈは、赤外線ヒータ等のヒータユニット（図示せず）が裏面に取り付けられている上フレームＰと、その上フレームＰの裏面に設けられた脚Ｌとから構成されている。上フレームＰは平面視で略長方形状に形成されており、上フレームＰの角部の裏面に４本の脚Ｌがそれぞれ取り付けられている。なお、上フレームＰにはその上下を貫通する貫通孔が設けられている。
【００１９】
天板Ｔは、こたつ本体Ｈの上フレームＰ上に載せられる板状の部材である。この天板Ｔは、その平面視形状が上フレームＰの平面視形状とほぼ相似形に形成されている。なお、天板Ｔの裏面には、天板Ｔを上フレームＰ上に載せたときに上フレームＰの貫通孔と対応する位置に雌ねじ孔が形成されている。
【００２０】
そして、こたつ本体Ｈには、天板Ｔとこたつ本体Ｈの上フレームＰとを連結する連結部材Ｂが設けられている。この連結部材Ｂはボルトねじであり、上フレームＰに形成されている貫通孔に上フレームＰの裏面から挿通すると、天板Ｔの雌ねじ孔に螺合できるものである。
【００２１】
以上の構成を有するこたつＫは、暖房器具として使用しないときには、連結部材Ｂによってこたつ本体Ｈと天板Ｔとを固定することができ、一般的なテーブルなどとして使用することができる。また、連結部材Ｂを外してこたつ本体Ｈと天板Ｔとを分離し、こたつ本体Ｈにこたつ布団を掛けてその上に天板Ｔを載せれば、暖房器具として使用することができる。
【００２２】
なお、こたつ本体Ｈの上フレームＰの平面視形状はとくに限定されず、正方形や円形、その他の多角形状など、種々の形状を採用することができる。
また、脚Ｌの本数は４本に限られない。床や畳などの上に安定して設置できるのであれば、３本以下でもよいし、５本以上でもよい。
さらに、天板Ｔは、その平面視形状が必ずしも上フレームＰの平面視形状と相似形でなくてもよく、その平面視形状は上フレームＰの平面視形状と異なる形状であってもよい。
さらに、こたつ本体Ｈと天板Ｔとを固定する連結部材Ｂは、必ずしもボルトねじでなくてもよい。上フレームＰと天板Ｔとを連結できるものであればよい。
【００２３】
＜こたつ布団１０＞
つぎに、本実施形態のカバー１０を使用して形成されたこたつ布団１を説明する。
【００２４】
図２（Ｂ）において、符号１は本実施形態のカバー１０で形成したこたつ布団を示している。このこたつ布団１は、カバー１０と、複数の中材２０と、によって形成されている。
【００２５】
＜カバー１０＞
図１に示すように、カバー１０は、ベースシート１１と、このベースシート１１の裏面に取り付けられた複数枚の裏地シート１６とから構成されている。
【００２６】
ベースシート１１は、一枚のシートから形成された長方形状のシート状部材であり、ポリエステル生地等から形成されている。なお、上述した「一枚のシート」とは、一枚のポリエステル生地等で形成したシートだけでなく、複数枚の生地（同じ生地や異なる生地の場合も含む）を重ねて形成したシートを含む概念である。また、ベースシート１１は綿などの中材を有しないものであり、複数枚の生地を重ねて形成した場合でも、生地同士の間には綿などが入っていない。
【００２７】
＜本体部１２＞
図１に示すように、ベースシート１１の中央部には、中材を有しない本体部１２が設けられている。この本体部１２は、上述したこたつＫのこたつ本体Ｈの上フレームＰの平面視形状とほぼ同じ形状に形成されている。本体部１２と上フレームＰの平面視形状がほぼ同じ形状とは、両者の形状が同じ場合と、大きさや形状に若干の差がある場合の両方を含む概念である。
【００２８】
なお、本体部１２と上フレームＰの平面視形状に大きさや形状に若干の差がある場合は、こたつ本体Ｈの上フレームＰ上にこたつ布団１を掛けた際に、本体部１２が上フレームＰ全体を覆うことができる大きさであることが望ましい。つまり、こたつ本体Ｈの上フレームＰ上にこたつ布団１を掛けて天板Ｔを載せた際に、上フレームＰと天板Ｔの間には本体部１２のみが挟まれるような大きさに本体部１２が形成されていることが望ましい（図４（Ｂ）参照）。
【００２９】
本体部１２にはスリット１２ｇが２個所設けられている。このスリット１２ｇは、本体部１２と本体部Ｈの上フレームＰとがほぼ一致するようにこたつ布団１をこたつ本体部Ｈに掛けたときに、こたつ本体部Ｈの上フレームＰの貫通孔と対応する位置に設けられている。したがって、連結部材Ｂをスリット１２ｇに通せば、こたつ布団１をこたつ本体部Ｈに掛けた状態でも、天板Ｔとこたつ本体部Ｈとを連結することができる（図４（Ｂ）参照）。
【００３０】
なお、連結部材Ｂによって天板Ｔとこたつ本体部Ｈとを連結する構造を採用していないこたつＫのこたつ布団１として使用する場合であれば、本体部１２にスリット１２ｇは設けなくてもよい。
【００３１】
＜周辺部１５＞
図１に示すように、本体部１２の周囲には周辺部１５が設けられている。この周辺部１５は、ベースシート１１の裏面に中材を有しない複数枚の裏地シート１６を取り付けて形成されている。複数枚の裏地シート１６は、ベースシート１１の裏面との間に、後述する中材２０を収容する空間１５ｈが形成されるように設けられている。そして、複数枚の裏地シート１６は、裏地シート１６の端縁とベースシート１１の裏面との間に、空間１５ｈと連通する開口１５ｓがそれぞれ形成されるように、ベースシート１１に取り付けられている。なお、ベースシート１１において、裏地シート１６が取り付けられた状態で平面視で裏地シート１６と重なる部分が、実用新案請求の範囲にいう周辺部の表面シートに相当する。
【００３２】
一例として、図１（Ｂ）に示すように、本体部１２が長方形で、周辺部１５の裏地シート１６として２枚の長尺な裏地シート１６ａと、２枚の短尺な裏地シート１６ｂと、を使用する場合を説明する。
【００３３】
この場合、２枚の裏地シート１６ａは、本体部１２の両長辺の側方に両長辺に沿って配置する。裏地シート１６ａは、ベースシート１１の長手方向の長さとほぼ同じ長さであり、その幅が本体部１２の長辺からベースシート１１の長辺までの長さとほぼ同じ長さに形成されている。この裏地シート１６ａを、本体部１２の長辺と対応する位置（つまり本体部１２の長辺側）の周縁部を除いて、ベースシート１１に縫合などの方法で連結する。すると、ベースシート１１において、本体部１２の長辺の側方に位置する部分は、２枚の裏地シート１６ａによって覆われた状態にできる。しかも、ベースシート１１の裏面と裏地シート１６ａとの間には、本体部１２の長辺と対向する部分とベースシート１１の裏面との間に開口１５ｓを有する、裏地シート１６ａの平面視面積とほぼ同じ面積の空間１５ｈを形成することができる。
【００３４】
また、２枚の裏地シート１６ｂは、２枚の裏地シート１６ａの間であって、本体部１２の両短辺とベースシート１１の短辺との間に配置する。裏地シート１６ｂは、その幅が本体部１２の短辺と同じ長さであり、その長さが本体部１２の短辺からベースシート１１の短辺までの長さとほぼ同じ長さに形成されている。この裏地シート１６ｂも、本体部１２の短辺と対応する位置（つまり本体部１２の短辺側）の周縁部を除いて、ベースシート１１に縫合などの方法で連結する。すると、ベースシート１１において、本体部１２の両短辺とベースシート１１の短辺との間の部分は、２枚の裏地シート１６ｂによって覆われた状態にできる。しかも、ベースシート１１の裏面と裏地シート１６ｂとの間に、本体部１２の短辺と対向する部分とベースシート１１の裏面との間に開口１５ｓを有する、裏地シート１６ｂの平面視面積とほぼ同じ面積の空間１５ｈを形成することができる。
【００３５】
＜複数の中材２０＞
複数の中材２０は、上述したカバー１０の各空間１５ｈ内に収容されるものである。この複数の中材２０は、内部に綿や羽毛等が充填された袋状体であり、一般的なこたつ布団と同等程度の保温性などを有するように形成されている。
【００３６】
この複数の中材２０は、その平面視形状が、カバー１０の複数枚の裏地シート１６の平面視形状とほぼ相似形かつ、カバー１０の複数枚の裏地シート１６の平面視形状より若干小さくなるように形成されている（図２（Ａ）参照）。例えば、中材２０ａは、裏地シート１６ａとほぼ相似形かつ若干小さくなるように形成されている。また、中材２０ｂは、後述する裏地シート１６ｂとほぼ相似形かつ若干小さくなるように形成されている。
【００３７】
本実施形態のカバー１０を使用して形成されたこたつ布団１は以上のような構成を有するので、中材２０ａをベースシート１１と裏地シート１６ａとの間に形成される空間１５ｈに入れ、中材２０ｂをベースシート１１と裏地シート１６ｂとの間に形成される空間１５ｈに入れれば、こたつ布団１を形成することができる（図３参照）。
【００３８】
このこたつ布団１を、本体部１２と本体部Ｈの上フレームＰとがほぼ一致するようにこたつＫのこたつ本体部Ｈに掛ける。そして、天板Ｔとこたつ本体部Ｈとを連結部材Ｂによって連結すれば、こたつＫとこたつ布団１とによって形成された暖房器具として使用することができる。
【００３９】
本実施形態のカバー１０を使用して形成されたこたつ布団１は、本体部１２のみが天板Ｔと本体部Ｈの上フレームＰとの間に挟まれる（図４（Ｂ）参照）。この本体部１２は、中材を有しないベースシート１１のみで形成されているので、厚さが薄くなっている。つまり、本体部１２は、ベースシート１１を構成する生地の厚さしかない。したがって、こたつ布団１を本体部Ｈに掛けていても、天板Ｔを安定した状態でこたつ布団１の上に載せておくことができる。
【００４０】
また、こたつ布団１は、中材２０を外すことができ（図４（Ｂ）参照）、中材２０を外せば、カバー１０のみの状態にすることができる（図１の状態）。つまり、カバー１０を、綿などの中材がないシートだけの状態にすることができる。すると、カバー１０はベースシート１１と裏地シート１６だけで形成されているので、コンパクトにたたむことができるし、一般的な布団カバー等と同様に洗濯をすることも可能になる。
【００４１】
＜ベースシート１１について＞
ベースシート１１の形状は上述したような長方形に限られない。ベースシート１１は、こたつ布団１を使用するこたつ本体Ｈ全体を覆うことができる大きさや形状（つまり上フレームＰと床などとの間に隙間ができない大きさや形状）に形成されていればよい。なお、ベースシート１１は、こたつ本体Ｈの上フレームＰの平面視形状と相似形が望ましい。例えば、こたつ本体Ｈの上フレームＰの平面視形状が長方形であれば長方形状が望ましく、こたつ本体Ｈの上フレームＰの平面視形状が正方形であれば正方形状が望ましい。
【００４２】
また、上記例では、一枚のベースシート１１によって、本体部１２と周辺部１５の表面シートが一体に形成されている場合を説明した。しかし、本体部１２と周辺部１５の表面シートを別々の生地で形成し、本体部１２を形成する生地と周辺部１５の表面シートを形成する生地とを、縫合などの方法によって連結してもよい。この場合には、本体部１２を形成する生地と周辺部１５の表面シートとによってベースシート１１が形成されることになる。
【００４３】
＜周辺部１５の裏地シート１６について＞
上記例では、周辺部１５の裏地シート１６が複数枚（図２では４枚）の裏地シート１６ａ，１６ｂで形成されている場合を説明したが、裏地シート１６を構成するシートの枚数はとくに限定されない。５枚以上でもよいし、２枚や３枚でもよい。
【００４４】
また、周辺部１５の裏地シート１６は、一枚のシートで形成されていてもよい。つまり、一枚のシートの中央部に、ベースシート１１と重ねたときにベースシート１１の本体部１２と対応する位置、形状の孔を形成して、裏地シート１６としてもよい。言い換えれば、ベースシート１１と重ねたときに本体部１２と対応する位置に孔が形成された一枚のシートで裏地シート１６を形成してもよい。この場合には、ベースシート１１と裏地シート１６とを縫合すれば、縫合部分に囲まれた部分に、ベースシート１１と裏地シート１６との間に中材２０を入れることができる空間１５ｈを形成することができる。しかも、ベースシート１１と裏地シート１６とを縫合する位置を調整すれば、空間１５ｈの形状や大きさ、位置を自由に調整することができる。
【００４５】
また、周辺部１５の裏地シート１６を一枚のシートで形成する場合には、裏地シート１６の平面視形状はベースシート１１の平面視形状と同じ形状や相似形が好ましいが、必ずしも裏地シート１６の平面視形状はベースシート１１の平面視形状と同じ形状や相似形でなくてもよい。また、孔の形状や大きさも本体部１２とほぼ同じ大きさ形状が好ましいが、本体部１２よりも若干大きいまたは若干小さい相似形にしてもよいし、本体部１２と異なる形状にしてもよい。
【００４６】
周辺部１５の裏地シート１６についても、ベースシート１１と同様に、「一枚のシート」とは、一枚のポリエステル生地等で形成したシートだけでなく、複数枚の生地（同じ生地や異なる生地の場合も含む）を重ねて形成したシートを含む概念である。また、周辺部１５の裏地シート１６も綿などの中材を有しないものであり、複数枚の生地を重ねて形成した場合でも、生地同士の間には綿などが入っていない。
【００４７】
＜開口１５ｓについて＞
カバー１０のベースシート１１と裏地シート１６との間に形成される開口１５ｓは、面状ファスナーやボタン等で閉じた状態を保持できるようにしてもよいし、綴じないままとしてもよい。
【００４８】
また、開口１５ｓを設ける位置はとくに限定されない。しかし、開口１５ｓを本体部１２側に形成すれば、こたつ布団１として使用している状態では、開口１５ｓが上方を向いた状態にできる（図４（Ｂ）参照）。すると、こたつ布団１として使用しているときに、中材２０が空間１５ｈから抜け出たりすることを防止できる。
【００４９】
中材２０が空間１５ｈから抜け出たりすることを防止する方法として、開口１５ｓの近傍や空間１５ｈ内に中材２０とベースシート１１または裏地シート１６とを連結する機構を採用することもできる。例えば、中材２０にひもｓや面状ファスナナーｆ等を設けて、ベースシート１１または裏地シート１６にもひもｓや面状ファスナナーｆ等を設ける。そして、中材２０のひもｓや面状ファスナナーｆ等と、ベースシート１１または裏地シート１６のひもｓや面状ファスナナーｆ等と、を連結する。すると、中材２０を空間１５ｈ内の所定の位置に配置できるし、中材２０が空間１５ｈから抜け出たりすることを防止できる。
【００５０】
また、裏地シート１６にスリットなどを形成して開口１５ｓとしてもよい。この場合には、スリットを開口１５ｓとした裏地シート１６では、その周縁部全体が縫合等によってベースシート１１に連結される。
【００５１】
＜カバー１０および中材２０の他の使用方法について＞
カバー１０は、中材２０を入れればこたつ布団１として使用できるが、中材２０を入れない場合には、ソファーＳのカバーなどとして使用することもできる（図６参照）。すると、こたつ布団１として使用しないときでも有効に活用できる。
【００５２】
また、中材２０も、こたつ布団１として使用しない場合には、クッションやまくらなどにも使用することができる。
【００５３】
カバー１０に入れる中材２０は、カバー１０の周辺部１５の空間に１５ｈにいれることができるのであれば、市販のクッションなどを使用してもよい。
【産業上の利用可能性】
【００５４】
本考案のカバーは、こたつ布団のカバーやソファーなどのカバーとして適している。
【符号の説明】
【００５５】
１        こたつ布団
１０        カバー
１１        ベースシート
１２        本体部
１５        周辺部
１５ｈ      空間
１５ｓ      開口
１６        裏地シート
２０        中材
Ｋ        こたつ
ＫＴ        こたつテーブル
Ｈ        こたつ本体
Ｐ        上フレーム
Ｌ        脚
Ｔ        天板
【図１】
0003228017.tif 000003
【図２】
0003228017.tif 000004
【図３】
0003228017.tif 000005
【図４】
0003228017.tif 000006
【図５】
0003228017.tif 000007
【図６】
0003228017.tif 000008